(57)【要約】【課題】撮像装置のビューファインダーの保持部材としてのスライダー部の小型化と、スライダー部における摺動部材の組み立て不良を防止した撮像装置のビューファインダーの保持部材を提供すること。【解決手段】スライダー部は摺動部材と固定部材を有し、スライダー部の水平移動範囲を制限するストッパー部材を摺動部材および固定部材の略投影上ではない位置に配置し、なおかつ、スライダー部は切り欠きを有し、切り欠きの上面と固定部材の下面を略同一面に設定する。【選択図】図４
2017223757.tif 000002
【特許請求の範囲】
【請求項１】
レール部と前記レール部上を水平移動可能なスライダー部と前記スライダー部の内部に配置され前記レールと当接する少なくとも１つ以上の摺動部材と前記摺動部材を固定する固定部材と前記スライダー部の水平移動範囲を制限するストッパー部材を有する撮像装置用アクセサリにおいて、前記ストッパー部材は、前記摺動部材および前記固定部材の投影上ではない位置に配置されており、かつ、前記スライダー部は切り欠きを有し、前記切り欠きの上面と前記固定部材の下面が同一面に設定されていることを特徴とする撮像装置用アクセサリ。
【請求項２】
前記摺動部材は前記固定部材によりバネ付勢されていることを特徴とする請求項１に記載にお撮像装置用アクセサリ。
【発明の詳細な説明】
【技術分野】
【０００１】
本発明は、撮像装置用アクセサリに関する。
【背景技術】
【０００２】
映画撮影現場や放送局にて使用される業務用の撮像装置として、被写体を撮影して映像信号を生成するカメラ本体と、カメラ本体に装着され映像信号に基づいて映像を表示するビューファインダー装置とを備えるものがある。
【０００３】
このような撮像装置では、多くの場合、撮影者の立ち位置や姿勢、被写体の状況に応じてビューファインダー装置の表示面を視認しやすくするために、ビューファインダー装置を例えば一軸回りに回転可能にし固定する回転機構や、光軸方向などにビューファインダーを平行移動可能にし固定するスライド機構が用いられている。
【０００４】
そして、ここで、スライド機構に関しては、特許文献１に示したように、可動部材のガタ取りを目的として、可動部材の駆動時に負荷となる摩擦力を極めて小さいボールの転がり摩擦のみとし、振れ補正用のレンズ群を微小に駆動制御し、より確実なガタ取りをする方法が紹介されている。
【先行技術文献】
【特許文献】
【０００５】
【特許文献１】特開２００１−２９０１８４号公報
【発明の概要】
【発明が解決しようとする課題】
【０００６】
ここで、ビューファインダーを平行移動するためのスライダー部に関しては、上述したように、ガタ取りを目的としてスライダー部に摺動部材を配置するといった方法があるが、摺動部材を配置することでスライダー部が大型化してしまうといった課題があった。また、配置した摺動部材が組み立て時における不良によって、本来のガタ取り効果を出すことができないといった問題もあった。
【０００７】
そこで、本発明は、上記課題を鑑み、スライダー部の小型化と、スライダー部における摺動部材の組み立て不良を防止した撮像装置のビューファインダーの保持部材を提供するものである。
【課題を解決するための手段】
【０００８】
上記の目的を達成するために、本発明に係る撮像装置用アクセサリは、
レール部と前記レール部上を水平移動可能なスライダー部と前記スライダー部の内部に配置され前記レールと当接する少なくとも１つ以上の摺動部材と前記摺動部材を固定する固定部材と前記スライダー部の水平移動範囲を制限するストッパー部材を有する撮像装置用アクセサリにおいて、前記ストッパー部材は、前記摺動部材および前記固定部材の略投影上ではない位置に配置されており、かつ、前記スライダー部は切り欠きを有し、前記切り欠きの上面と前記固定部材の下面が略同一面に設定されていることを特徴とする。
【０００９】
また、本発明に係る撮像装置用アクセサリは、前記摺動部材は前記固定部材によりバネ付勢されていることを特徴とする。
【発明の効果】
【００１０】
本発明によれば、スライダー部の小型化と、スライダー部における摺動部材の組み立て不良を防止した撮像装置用アクセサリを提供することが可能となる。
【図面の簡単な説明】
【００１１】
【図１】本発明の実施例におけるビューファインダー装置が取り付いた保持機材を撮像装置へ取り付ける場合の外観図
【図２】本発明の実施例における支持機構を保持機材へ取り付ける場合の分解斜視図
【図３】本発明の実施例におけるスライダー部の構成を説明するための分解斜視図
【図４】本発明の実施例におけるスライダー部とストッパー部材の関係を示すための断面図
【図５】本発明の実施例における摺動部材が正しい位置にある時のスライダー部の外観図
【図６】本発明の実施例における切り欠きに対する固定部材の位置を説明するために示した図５の摺動部材における断面図
【図７】本発明の実施例における摺動部材が正しい位置に組み込まれていない時のスライダー部の外観図
【図８】本発明の実施例における切り欠きに対する固定部材の位置を説明するために示した図７の摺動部材における断面図
【発明を実施するための形態】
【００１２】
以下、本発明を実施するための形態について、図面を参照しながら説明する。
【実施例】
【００１３】
（ビューファインダー装置を保持機材を介して撮像装置へ取り付ける場合の説明）
図１はビューファインダー装置１００が取り付いた保持機材２００を撮像装置１０１へ取り付けた場合の外観図であり、図２は、支持機構３００を保持機材２００へ取り付ける場合の分解斜視図である。
【００１４】
図１、図２において、１００はビューファインダー装置、１０１は撮像装置、３００は支持機構、３０１はスライダー部、２００は保持機材、２０１は取り付けレール、２０２は取り付けレール２０１を撮像装置１０１へ取り付けるための本体着脱部、２０３はストッパー部材である。
【００１５】
ここで、図２に示した通り、スライダー部３０１の断面と取り付けレール２０１の断面は略同一形状となっており、取り付けレール２０１内をスライダー部３０１が平行移動する構造となっている。よって、撮像装置１０１に取り付けられた保持機材２００を介して、支持機構３００は、並進方向へ移動可能となる。また、ここでは、支持機構３００は撮像装置に対する１方向の並進移動のみ説明したが、これと直交する方向の並進移動も同様であり、可能である。以上のことにより、ユーザーは、撮像装置に対してビューファインダーを並進移動することが可能となる。
【００１６】
（スライダー部の構成に関する説明）
図３はスライダー部の構成を説明するための分解斜視図であり、図４はスライダー部とストッパー部材の関係を示すための断面図である。
【００１７】
図３、図４において、３０１はスライダー部、３０１ａはストッパー当接部、３０１ｂは切り欠き、３０２は摺動部材、３０３は付勢バネ、３０４は固定部材、２０１は取り付けレール、２０３はストッパー部材である。
【００１８】
ここで、スライダー部３０１の並進移動に関して説明する。図３に示した通り、スライダー部３０１にはストッパー当接部３０１ａが配されている。また図４に示した通り、取り付けレール２０１にはストッパー部材２０３が配されている。そして、スライダー部３０１が取り付けレール２０１内を並進移動するに際し、ストッパー部材２０３がストッパー当接部３０１ａに当接することでスライダー部３０１の並進移動規制を行う構造となっている。
【００１９】
次に、スライダー部３０１のガタ取り構造に関して説明する。スライダー部３０１は先述した通り、摺動部材３０２、付勢バネ３０３、固定部材３０４を有す。そして、摺動部材３０２を付勢バネ３０３で付勢し、固定部材３０４で固定することで、摺動部材３０２がバネ付勢された状態で取り付けレールに当接する。これにより、スライダー部３０１が並進移動する際、摺動部材３０２がスライダー部３０１のガタつきを抑制する。
【００２０】
（スライダー部の小型化の説明）
次に、図４を用いて、スライダー部３０１の小型化に関して説明する。
【００２１】
本発明では、ストッパー部材２０３は、摺動部材３０２および固定部材３０４の略投影上ではない位置に配置されている。よって、摺動部材３０２および固定部材３０４が配されていない空いたスペースに効率的にストッパー部材２０３を配することができる。これにより、スライダー部３０１がやみくもに大きくなることなく、スライダー部３０１の小型化を行うことができる。
【００２２】
（スライダー部における摺動部材の組み立て不良防止の説明）
次に、図５、図６、図７、図８を用いて、スライダー部３０１における、ガタ取りを目的とした摺動部材３０２の、組み立て不良防止に関して説明する。
【００２３】
図５は摺動部材３０２が正しい位置にある時のスライダー部３０１の外観図であり、図６は図５の摺動部材３０２における断面図であり、図７は摺動部材３０２が正しい位置に組み込まれていない時のスライダー部３０１の外観図であり、図８は図７の摺動部材３０２における断面図である。
【００２４】
ここで、ガタ取り効果を十分に発揮するためには、摺動部材３０２が正しい位置に組み込まれているかが非常に重要となる。
【００２５】
本発明において、図５、図６に示したように、スライダー部３０１は切り欠き３０１ｂを有し、切り欠き３０１ｂの上面と固定部材３０４の下面が略同一面となるように設定されている。これにより、組み立て作業者は、切り欠き３０１ｂに対する固定部材３０４の位置を目視で確認可能となり、固定部材３０４を正しい位置に組み込むことが可能となる。これにより、バネ付勢された摺動部材３０２が正しい位置に組み込まれることとなり、十分なガタ取り効果を発揮することができるようになる。
【００２６】
一方で、例えば、図７、図８に示したように、固定部材３０４を正しい位置に組み込まず、切り欠き３０１ｂから固定部材３０４が出てしまっている状態だと、摺動部材３０２を正しい位置に組み込むことができない。そして、摺動部材３０２が正しい位置に組み込まれていないため、十分なガタ取り効果を発揮することができなくなってしまう。よって、固定部材３０４を正しい位置に組み込むことは重要であり、本発明のように、切り欠き３０１ｂの上面と固定部材３０４の下面を略同一面に設定することで、固定部材３０４の位置を目視で確認可能となり、ガタ取りを目的とした摺動部材３０２の組み立て不良を防止することができる。
【００２７】
（まとめ）
以上、本発明により、ストッパー部材２０３を摺動部材３０２および固定部材３０４の略投影上ではない位置に配置し、かつ、スライダー部３０１の切り欠き３０１ｂの上面と固定部材３０４の下面を略同一面に設定することで、撮像装置のビューファインダーの保持部材としてのスライダー部３０１の小型化と、スライダー部３０１における摺動部材３０２の組み立て不良を防止した撮像装置のビューファインダーの保持部材を提供することが可能となる。
【符号の説明】
【００２８】
１００  ビューファインダー装置、１０１  撮像装置、２００  保持機材、
２０１  取り付けレール、２０２  本体着脱部、２０３  ストッパー部材、
３００  支持機構、３０１  スライダー部、３０１ａ  ストッパー当接部、
３０１ｂ  切り欠き、３０２  摺動部材、３０３  付勢バネ、３０４  固定部材
【図１】
2017223757.tif 000003
【図２】
2017223757.tif 000004
【図３】
2017223757.tif 000005
【図４】
2017223757.tif 000006
【図５】
2017223757.tif 000007
【図６】
2017223757.tif 000008
【図７】
2017223757.tif 000009
【図８】
2017223757.tif 000010